(57)【要約】【課題】ワイヤーハーネスの外径が小さい場合にも、係止部が大きく突出するのを防止すること。【解決手段】合体状態でワイヤーハーネスＷＨを挿通収容可能な収容体を構成する第１プロテクタ部材２９と第２プロテクタ部材４０とを備え、第１プロテクタ部材２０は、壁部２５と壁部２５に間隔をあけて対向する補助壁部２６とを有し、第２プロテクタ部材４０は、壁部２５と補助壁部２６との間に挿入方向Ｐに沿って挿入可能な挿入部４６を有し、壁部２５及び補助壁部２６の少なくとも一方には、挿入方向Ｐに沿った異なる位置に被係止部３０が複数形成され、挿入部４６の挿入方向Ｐ所定の位置には、複数の被係止部３０に対して選択的に係止可能な係止部５０が形成されている。【選択図】図１
2011234474.tif 000002
【特許請求の範囲】
【請求項１】
ワイヤーハーネスを保護するプロテクタであって、
合体状態で前記ワイヤーハーネスを挿通収容可能な収容体を構成する第１プロテクタ部材と第２プロテクタ部材とを備え、
前記第１プロテクタ部材は、壁部と、前記壁部に間隔をあけて対向する補助壁部とを有し、
前記第２プロテクタ部材は、前記壁部と前記補助壁部との間に挿入方向に沿って挿入可能な挿入部を有し、
前記壁部及び前記補助壁部の少なくとも一方には、前記挿入方向に沿った異なる位置に被係止部が複数形成され、
前記挿入部の挿入方向所定の位置には、前記複数の被係止部に対して選択的に係止可能な係止部が形成されているプロテクタ。
【請求項２】
請求項１に記載のプロテクタであって、
前記複数の被係止部は、前記壁部及び前記補助壁部の両方に前記挿入方向に沿って交互に形成されているプロテクタ。
【請求項３】
請求項２に記載のプロテクタであって、
前記複数の被係止部は、前記壁部及び前記補助壁部の内側に開口する凹状に形成され、
前記係止部は、前記壁部及び前記補助壁部の両方に形成されている前記複数の被係止部に対して選択的に係止可能な両側凸状或いは両側に突出可能に形成されているプロテクタ。
【請求項４】
請求項３に記載のプロテクタであって、
前記係止部は、前記挿入方向前方から後方に向けて漸次厚さ寸法が大きくなるように形成され、後端側部分が厚さ方向に揺動可能なように前端部で支持され、
前記壁部及び前記補助壁部は、前記係止部の後端部の厚さ寸法より小さい隙間をあけて位置するプロテクタ。
【発明の詳細な説明】
【技術分野】
【０００１】
ワイヤーハーネスを保護する技術に関する。
【背景技術】
【０００２】
車両にワイヤーハーネスを配策する際、ワイヤーハーネスを周辺部品から保護するために部分的にプロテクタに収容することがある。このようなプロテクタは、ワイヤーハーネスの外径に対応して収容容量が決定される。しかしながら、マイナーチェンジ、モデルチェンジによりワイヤーハーネスの外径が大きくなると、プロテクタ内にワイヤーハーネスを収容できなくなる恐れがある。この場合、新たなプロテクタを設計、製造する必要があった。
【０００３】
そこで、特許文献１のような収容容量を調節可能なプロテクタが提案されている。特許文献１のプロテクタは、ワイヤーハーネスが載置される底部とその両側に立設された伸縮自在な側壁とを有する本体部と、側壁間に収容されたワイヤーハーネスを押える蓋部とを有している。そして、本体部及び蓋部のいずれか一方に突設され、複数段の係止突起が形成された係止アームが係止枠部及び係止爪を有する係止部に対して任意の係止突起の位置で選択的に係止することにより、蓋部が本体部に対して収容容量を調節可能に固定される。ここで、係止アームが係止枠部に挿入した状態で、係止爪が複数段の係止突起のうちの一つに係止されることにより、係止アームが任意の位置で係止部に係止する。
【先行技術文献】
【特許文献】
【０００４】
【特許文献１】実開平５−２５９２０号公報
【発明の概要】
【発明が解決しようとする課題】
【０００５】
しかしながら、特許文献１のプロテクタでは、ワイヤーハーネスの外径が小さい場合、複数段の係止突起のうち係止アームの基端部側の１つに係止爪が係止するため、係止アームの先端部が係止枠部から大きく突出してしまう。この突出した係止アームの先端部は、プロテクタの車両に対する配設作業の妨げになる恐れがある。
【０００６】
そこで、本発明は、ワイヤーハーネスの外径が小さい場合にも、係止部が大きく突出するのを防止することを目的とする。
【課題を解決するための手段】
【０００７】
第１の態様に係るプロテクタは、ワイヤーハーネスを保護するプロテクタであって、合体状態で前記ワイヤーハーネスを挿通収容可能な収容体を構成する第１プロテクタ部材と第２プロテクタ部材とを備え、前記第１プロテクタ部材は、壁部と、前記壁部に間隔をあけて対向する補助壁部とを有し、前記第２プロテクタ部材は、前記壁部と前記補助壁部との間に挿入方向に沿って挿入可能な挿入部を有し、前記壁部及び前記補助壁部の少なくとも一方には、前記挿入方向に沿った異なる位置に被係止部が複数形成され、前記挿入部の挿入方向所定の位置には、前記複数の被係止部に対して選択的に係止可能な係止部が形成されている。
【０００８】
第２の態様に係るプロテクタは、第１の態様に係るプロテクタであって、前記複数の被係止部は、前記壁部及び前記補助壁部の両方に前記挿入方向に沿って交互に形成されている。
【０００９】
第３の態様に係るプロテクタは、第２の態様に係るプロテクタであって、前記複数の被係止部は、前記壁部及び前記補助壁部の内側に開口する凹状に形成され、前記係止部は、前記壁部及び前記補助壁部の両方に形成されている前記複数の被係止部に対して選択的に係止可能な両側凸状或いは両側に突出可能に形成されている。
【００１０】
第４の態様に係るプロテクタは、第３の態様に係るプロテクタであって、前記係止部は、前記挿入方向前方から後方に向けて漸次厚さ寸法が大きくなるように形成され、後端側部分が厚さ方向に揺動可能なように前端部で支持され、前記壁部及び前記補助壁部は、前記係止部の後端部の厚さ寸法より小さい隙間をあけて位置する。
【発明の効果】
【００１１】
第１の態様に係るプロテクタによると、第１プロテクタ部材の壁部及び補助壁部の少なくとも一方に挿入方向に沿って被係止部が複数形成され、第２プロテクタ部材の挿入部の挿入方向所定の位置に複数の被係止部に対して選択的に係止可能な係止部が形成されている。このため、係止部は、いずれの被係止部に係止している場合でもその被係止部に対して突出量一定であると共に、壁部或いは補助壁部の側方に位置し、壁部及び補助壁部の両方を越えて大きく突出することはない。すなわち、ワイヤーハーネスの外径が小さい場合にも、係止部が大きく突出するのを防止することができる。
【００１２】
第２の態様に係るプロテクタによると、被係止部が壁部及び補助壁部に挿入方向に沿って交互に形成されているため、係止部はより小さい間隔で異なる被係止部に係止することができる。このため、小さい単位で収容容量を調節することができ、ワイヤーハーネスの外径の変更に対してより柔軟に対応することができる。
【００１３】
第３の態様に係るプロテクタによると、複数の被係止部が凹状に形成され、係止部が両側凸状或いは両側に突出可能に形成されており、構造を簡易にすることができる。
【００１４】
第４の態様に係るプロテクタによると、係止部が挿入方向前方から後方に向けて漸次厚さ寸法が大きくなるように形成されているため、壁部と補助壁部との隙間を通じて被係止部に係止しやすい。また、係止部は後端側部分が厚さ方向に揺動可能なように前端部で支持され、壁部及び補助壁部は係止部の後端部の厚さ寸法より小さい隙間をあけて位置するように構成されている。これにより、係止部が凹状の被係止部に係止する際、後端部は壁部或いは補助壁部のうち当該被係止部に対向する部分に押されて被係止部側に揺動し、より大きく被係止部内に進出する。このため、係止部がより確実に被係止部に対して係止し、第１プロテクタ部材及び第２プロテクタ部材の合体状態をより確実に維持することができる。
【図面の簡単な説明】
【００１５】
【図１】プロテクタの一例を示す概略斜視図である。
【図２】第１プロテクタ部材の被係止部を示す正面図である。
【図３】図２のＩＩＩ−ＩＩＩ線断面図である。
【図４】第２プロテクタ部材の係止部を示す正面図である。
【図５】図４のＶ−Ｖ線断面図である。
【図６】係止部が第１被係止部に係止した状態を示す断面図である。
【図７】係止部が第２被係止部に係止した状態を示す断面図である。
【図８】係止部の変形例を示す正面図である。
【図９】図８のＩＸ−ＩＸ線断面図である。
【図１０】係止部と複数の被係止部との組合せの変形例を示す断面図である。
【発明を実施するための形態】
【００１６】
実施形態に係るプロテクタについて説明する。プロテクタは、車両に配策されるワイヤーハーネスを収容して周辺部材から保護するための部材である。そして、本プロテクタは、ワイヤーハーネスのうち収容部分の外径がマイナーチェンジ、モデルチェンジ等により変更された場合にもワイヤーハーネスを収容可能なように、収容容量を調節可能に構成されている。
【００１７】
プロテクタ１０は、合体状態でワイヤーハーネスＷＨを挿通収容可能な収容体を構成する第１プロテクタ部材２０と第２プロテクタ部材４０とを備えている（図１参照）。このプロテクタ１０は、ワイヤーハーネスＷＨの保護対象部分の車両配策時の形態及びその周辺空間に応じた形状に形成される。第１プロテクタ部材２０及び第２プロテクタ部材４０は、それぞれ、樹脂材により一体成形されている。
【００１８】
以下、図１に示すプロテクタ１０の一例について説明する。すなわち、ここでは、第１プロテクタ部材２０がワイヤーハーネスＷＨを主として収容するプロテクタ本体部、第２プロテクタ部材４０がプロテクタ本体部に被さるように合体可能なプロテクタカバーである。
【００１９】
第１プロテクタ部材２０は、底部２３と、底部２３の両側部に立設された一対の側壁部２４とを有する第１本体部２２を有している（図１参照）。すなわち、第１本体部２２は、全体として、一方側から他方側にワイヤーハーネスＷＨを挿通収容する略溝状に形成されている。
【００２０】
底部２３は、ワイヤーハーネスＷＨのうち保護対象部分を載置可能で、当該ワイヤーハーネスＷＨの一方向における占有面積より大きく形成されている。ここでは、底部２３は、平面板状に形成されているものとする。
【００２１】
一対の側壁部２４は、それぞれ、底部２３の両側端部から、一方向（ここでは、底部２３に略直交する方向）に沿って底部２３の載置面側に突出するように形成されている。すなわち、ワイヤーハーネスＷＨは、保護対象部分が底部２３上に載置された状態で、一対の側壁部２４の間に介在するように配設される。
【００２２】
第２プロテクタ部材４０は、一対の側壁部２４の先端部間の開口を覆う態様で第１本体部２２に対して被される蓋状の第２本体部４２を有している（図１参照）。
【００２３】
第２本体部４２は、天井部４３と、天井部４３の両側部に立設された一対の側壁部４４とを有している。この第２本体部４２は、第１本体部２２に被さった状態で、一対の側壁部２４の外側に一対の側壁部４４が重なるように構成されている。好ましくは、一対の側壁部２４の先端側部分の外側部と一対の側壁部４４の内側部とが面接触するように重なるとよい。すなわち、第２本体部４２は、一対の側壁部２４の外側形状より大きく形成された天井部４３の両側端部から、一対の側壁部４４が天井部４３に対して略直交する方向の一方側に向けて突出するように構成されている。ここでは、天井部４３は、図１に示すように平板状に形成されているものとする。
【００２４】
上記第１本体部２２の一対の側壁部２４及び第２本体部４２の一対の側壁部４４の突出寸法（高さ寸法）は、プロテクタ１０の収容容量を最大にした状態でも、一対の側壁部２４と一対の側壁部４４とが重なるように構成されているとよい。すなわち、プロテクタ１０内に収容されるワイヤーハーネスＷＨが、プロテクタ１０の側方から外部に露出されないことが好ましい。
【００２５】
なお、上記第１本体部２２および第２本体部４２の各部の名称（底部、天井部、側壁部）は、説明の便宜上付したものであって、プロテクタ１０の使用態様を限定するものではない。
【００２６】
そして、第１プロテクタ部材２０と第２プロテクタ部材４０とは、第２本体部４２が第１本体部２２に被された状態で、ワイヤーハーネスＷＨを挿通収容可能な内部空間を有する収容体を構成する（図６、図７参照）。第１本体部２２に第２本体部４２が被された状態が、第１プロテクタ部材２０と第２プロテクタ部材４０との合体状態である。
【００２７】
もっとも、第１本体部２２及び第２本体部は、底部２３と一対の側壁部２４、天井部４３と一対の側壁部４４との境界が存在するような形状に限られず、組合せた状態で内側にワイヤーハーネスＷＨを配設可能であればよく、湾曲部分が連続した形状であってもよい。
【００２８】
また、第１プロテクタ部材２０及び第２プロテクタ部材４０は、上記のようなプロテクタ本体とプロテクタカバーとの関係に限られず、どちらの収容容量が大きくてもよい。
【００２９】
上記第１プロテクタ部材２０及び第２プロテクタ部材４０は、合体状態を維持するための構成を有している（図１参照）。当該構成は、プロテクタ１０の両側に設けられるが、ここでは、一方側に着目して説明する（図１ではプロテクタ１０の他方側の構成を省略している）。以下、一対の側壁部２４のうちの一方を壁部２５、一対の側壁部４４のうちの一方を一方の側壁部４５として説明する。
【００３０】
第１プロテクタ部材２０は、第１本体部２２の壁部２５に対して間隔をあけて対向するように形成された補助壁部２６をさらに有している（図２、図３参照）。そして、壁部２５及び補助壁部２６には、被係止部３０が複数形成されている。
【００３１】
また、第２プロテクタ部材４０は、壁部２５と補助壁部２６との間に挿入方向Ｐに沿って挿入可能な挿入部４６をさらに有している（図４、図５参照）。この挿入部４６の挿入方向Ｐ所定の位置には、複数の被係止部３０に対して選択的に係止可能な係止部５０が形成されている。なお、ここでは、第１プロテクタ部材２０及び第２プロテクタ部材４０の合体時の近接方向（換言すると、一対の側壁部２４、４４が突出する方向）が挿入方向Ｐである。
【００３２】
つまり、第１プロテクタ部材２０及び第２プロテクタ部材４０は、挿入部４６が壁部２５と補助壁部２６との間に挿入されて係止部５０が複数の被係止部３０のいずれか一つに係止することにより、合体状態を維持するようになっている。そして、係止部５０が複数の被係止部３０のうちのいずれに係止するかによって、第１本体部２２及び第２本体部４２が有する内部空間の大きさ（プロテクタ１０の収容容量）が決定される。以下、この構成について詳細に説明する。
【００３３】
挿入部４６は、一方の側壁部４５の先端部の一部分から、その突出方向に向けて延出するように形成されている（図２、図３参照）。より具体的には、挿入部４６は、一方の側壁部４５から厚さを同じにして延出している。すなわち、挿入部４６は、第１本体部２２に第２本体部４２が被された状態で、壁部２５の外側面に沿って延びるようになっている。そして、この挿入部４６の挿入方向Ｐ（延出方向）所定の位置には係止部５０が形成されている。
【００３４】
係止部５０は、挿入部４６の挿入方向Ｐ前方から後方に向けて漸次厚さ寸法が大きくなるように形成されている。より具体的には、係止部５０は、挿入部４６の幅方向（図４の左右方向）に直交する断面視において後端部を底辺とする略二等辺三角形状とされている（図５参照）。そして、係止部５０の後端部が挿入方向Ｐ後方（天井部４３側）に向かう係止面５２を成している。
【００３５】
ここでは、挿入部４６は、略中央に矩形孔を有する略矩環状に形成され、その内側の位置に係止部５０が形成されている。より具体的には、係止部５０は、前端部で挿入部４６の内周部の先端側部分に支持される態様で形成されている。なお、係止部５０の前端部の厚さ寸法は挿入部４６の厚さ寸法と略同じに設定されている。そして、前記係止部５０の前端部より厚さ寸法が大きく形成されている後端側部分は、図５に示すように、前端部と後端部を結ぶ方向が挿入方向Ｐに沿う姿勢で、厚さ方向において、後端側部分が挿入部４６の両側に均等に突出するようになっている。
【００３６】
上記態様で形成されている係止部５０は、前端部以外の３方が支持されず、前端部を支点として後端側部分が主として厚さ方向に揺動可能となっている。これにより、係止部５０の後端側部分が厚さ方向一方側（一方の側壁部４５の外側）から押されると、他方側（一方の側壁部４５の内側）に向けて揺動されて他方側により大きく突出し（図６参照）、後端側部分が他方側から押されると一方側に向けて揺動されて一方側により大きく突出する（図７参照）。
【００３７】
もっとも、係止部５０は、上記のものに限られず、壁部２５及び補助壁部２６の両方に形成されている複数の被係止部３０に対して選択的に係止可能であれば、その他の両側凸状に形成されていてもよい。例えば、係止部１５０は、平板状の挿入部１４６の先端部両側に、挿入方向Ｐ前方から後方に向けて漸次厚さ寸法が大きくなるような両側凸状に形成されていてもよい（図８、図９参照）。
【００３８】
補助壁部２６は、全体に亘って、壁部２５に対して略一定の隙間をあけて位置するように設定されている（図２、図３参照）。より具体的には、壁部２５と補助壁部２６との隙間は、第２プロテクタ部材４０の挿入部４６を挿入可能な（ここでは、挿入部４６の厚さ寸法より僅かに大きい）大きさに設定されている。また、この隙間は、係止部５０の後端部の厚さ寸法より小さく設定されている。ここでは、補助壁部２６は、壁部２５の外側面から突出する一対の側片２７により、上記位置に支持されている。この一対の側片２７は、挿入方向Ｐに沿って形成されている。なお、一対の側片２７の間隔は、挿入部４６を挿入可能なように、挿入部４６の幅寸法より大きく（ここでは、僅かに大きく）設定されている。すなわち、一対の側片２７は、壁部２５と補助壁部２６との間に挿入される挿入部４６の幅方向における位置規制をする役割も担っている。
【００３９】
この補助壁部２６は、主として壁部２５に対して離間する向きに弾性変形可能に構成されている。すなわち、壁部２５と補助壁部２６との間隔より大きい厚さ寸法に形成されている係止部５０の後端部を、壁部２５と補助壁部２６との間に挿入可能にするため、壁部２５との間隔を拡げるように弾性変形可能となっている。ここでは、補助壁部２６は、壁部２５より厚さ方向に弾性変形しやすく構成されている。例えば、補助壁部２６は、壁部２５より厚さ寸法を小さく設定されているとよい。
【００４０】
ここで、係止部５０は、挿入部４６の幅方向中間部に形成され、壁部２５と補助壁部２６との間に挿入される際には、一対の側片２７の中間位置すなわち補助壁部２６の中間位置に挿入されるようになっている。つまり、係止部５０が壁部２５と補助壁部２６との間に挿入されたとき、補助壁部２６のうち弾性変形により最も壁部２５から離間しやすい中間位置に係止部５０が位置して、係止部５０をより挿入し易くなっている。
【００４１】
また、補助壁部２６の挿入方向Ｐ後端部は、より弾性変形し易いように、一対の側片２７より挿入方向Ｐ後方側に突出するように構成されている（図１〜３参照）。すなわち、当該後端部が、一対の側片２７に支持されない構成である。これにより、補助壁部２６は、壁部２５との間に係止部５０が挿入される際に、挿入方向Ｐ後端部が壁部２５から離間する向きに容易に弾性変形するため、係止部５０を挿入し易くなっている。
【００４２】
さらに、補助壁部２６の挿入方向Ｐ後端部には、挿入部４６及び係止部５０を、壁部２５と補助壁部２６との間に誘い込む誘い込み部２６ａが形成されている（図３参照）。この誘い込み部２６ａは、壁部２５に対して挿入方向Ｐ前方から後方に向けて漸次離間するように傾斜する形状である。すなわち、壁部２５と補助壁部２６との間隔は、補助壁部２６の挿入方向Ｐ後端部の位置で、挿入方向Ｐ後方に向けて漸次大きくなっている。
【００４３】
被係止部３０は、壁部２５及び補助壁部２６に対して、挿入方向Ｐに沿った異なる位置に複数形成されている（図２、図３参照）。この複数の被係止部３０は、壁部２５に形成された第１被係止部３２と、補助壁部２６に形成された第２被係止部３６とを（ここではそれぞれ１つずつ）有している。
【００４４】
第１被係止部３２は、壁部２５の外側面（補助壁部２６と壁部２５との関係では内側）で開口し、挿入方向Ｐ前方側に向かう被係止面３３を有する凹状に形成されている。より具体的には、第１被係止部３２は、挿入部４６から厚さ方向一方側（一方の側壁部４５の内側）に突出される係止部５０が進入可能な内部空間を有する凹状である。ここでは、第１被係止部３２は、壁部２５を直交方向に貫通する凹状である。この第１被係止部３２の内周面のうち挿入方向Ｐ前方側に向かう面が被係止面３３を成している。そして、この被係止面３３に対して、係止部５０の係止面５２が当接することにより、係止部５０が第１被係止部３２に係止する。
【００４５】
もっとも、第１被係止部３２は、係止部５０が係止可能であれば上記形状に限られるものではなく、例えば壁部２５の外側面（壁部２５と補助壁部２６との関係では内側）で開口する有底の凹状であってもよい。
【００４６】
第２被係止部３６は、補助壁部２６の挿入方向Ｐ前端側部分を、一対の側片２７間で切り欠いたように形成されている。補助壁部２６の内側に着目すると、第２被係止部３６は、補助壁部２６の内側（壁部２５と補助壁部２６との関係でも内側）で開口する凹状部分である。この第２被係止部３６は、挿入方向Ｐ前方側に向かう被係止面３７を有している。ここでは、補助壁部２６の挿入方向Ｐ前端部が被係止面３７を成している。そして、この被係止面３７に対して、係止部５０の係止面５２が当接することにより、係止部５０が第２被係止部３６に係止する。
【００４７】
もっとも、第２被係止部３２は、上記形状に限られるものではない。第２被係止部３２は、例えば、挿入方向Ｐにおいて、補助壁部２６の中途部でその内側面（壁部２５と補助壁部２６との関係でも内側）で開口する貫通孔状又は有底凹状であってもよい。
【００４８】
上記第１被係止部３２及び第２被係止部３６は、挿入方向Ｐにおいて、係止部５０が第１被係止部３２に係止する位置で補助壁部２６により壁部２５側に押されると共に、係止部５０が第２被係止部３６に係止する位置で壁部２５により補助壁部２６側に押されるような位置に形成されている（図６、図７参照）。
【００４９】
より具体的には、壁部２５と補助壁部２６との間隔が係止部５０の後端部より小さく設定されているため、係止部５０が壁部２５と補助壁部２６との間に挿入されている状態では、係止部５０に対して壁部２５及び補助壁部２６の両側から厚さ方向の力が作用している。つまり、挿入方向Ｐにおいて、片側に壁部２５或いは補助壁部２６が存在する位置に被係止部３０が設けられていれば、係止部５０は壁部２５或いは補助壁部２６によりその厚さ方向反対側に押される。これにより、係止部５０の後端側部分は揺動して被係止部３０内により大きく進入する。
【００５０】
具体的な位置関係で言うと、第１被係止部３２は、挿入方向Ｐにおいて、被係止面３３の前方側近傍に補助壁部２６が存在するような位置に形成されていればよい。好ましくは、被係止面３３が補助壁部２６の一部と同位置に位置するとよい。また、第２被係止部３６も、第１被係止部３２と同様に、挿入方向Ｐにおいて、被係止面３７の前方側近傍に壁部２５が存在するような位置に形成されていればよく、好ましくは、被係止面３７が壁部２５の一部と同位置に位置するとよい。
【００５１】
次に、係止部５０を複数の被係止部３０に対して選択的に係止させる動作について説明する。なお、この動作は、第１本体部２２に対して第２本体部４２を被せつつ行ってもよいし、被せた状態から行ってもよい。
【００５２】
係止部５０を、複数の被係止部３０のうち第１被係止部３２に係止する場合（図６参照）から説明する。
【００５３】
まず、挿入部４６を、その先端側から挿入方向Ｐに沿って壁部２５と補助壁部２６との間に挿入する。この際、挿入部４６は、補助壁部２６の誘い込み部２６ａにより、壁部２５と補助壁部２６との間に案内される。ここで、挿入部４６は、一対の側片２７間を通りつつ、壁部２５と補助壁部２６との間に挿入される。
【００５４】
挿入部４６が壁部２５と補助壁部２６との間に挿入されるのに伴い、係止部５０も誘い込み部２６ａに案内されつつ、その前端側から壁部２５と補助壁部２６との間に挿入されていく。係止部５０は、壁部２５と補助壁部２６との両側に接触した位置から、壁部２５と補助壁部２６との間隔を拡げるように、主として補助壁部２６を徐々に弾性変形させていく。すなわち、補助壁部２６より弾性変形し難い壁部２５により補助壁部２６側に押された係止部５０が補助壁部２６を押すことにより、補助壁部２６が壁部２５から離間する向きに弾性変形される。
【００５５】
係止部５０の後端部が第１被係止部３２の被係止面３３の位置を越えるまで、挿入部４６が挿入されると、係止部５０に作用する壁部２５側からの力が解除される。すると、係止部５０は、厚さ方向において挿入部４６から壁部２５側に突出している部分が第１被係止部３２内に進入すると共に、さらに補助壁部２６の弾性復帰力により後端側部分が押されて壁部２５側に揺動されることにより第１被係止部３２内により大きく突出する（図６参照）。
【００５６】
以上により、係止部５０が第１被係止部３２に係止される。すなわち、係止部５０の係止面５２が第１被係止部３２の被係止面３３に当接するため、第１プロテクタ部材２０及び第２プロテクタ部材４０は離間方向の相対移動を規制される。
【００５７】
次に、係止部５０を複数の被係止部３０のうち第２被係止部３６に係止する場合（図７参照）を説明する。
【００５８】
係止部５０が第１被係止部３２に係止された状態から、さらに挿入部４６を挿入方向Ｐ前方側に向けて挿入していく。そして、係止部５０が第１被係止部３２の挿入方向Ｐ前方側端部と補助壁部２６との両方に接触した位置から、再び壁部２５と補助壁部２６との間隔を拡げるように、主として補助壁部２６を徐々に弾性変形させていく。もっとも、係止部５０が第１被係止部３２に係止した状態で、係止部５０は、第２被係止部３２の前方側端部及び補助壁部２６に当接していてもよい。
【００５９】
係止部５０の後端部が第２被係止部３６の被係止面３７の位置を越えるまで、挿入部４６が挿入されると、係止部５０に作用する補助壁部２６側からの力が解除される。すると、係止部５０は、壁部２５に押されて後端側部分が補助壁部２６側に揺動されることにより第２被係止部３６内により大きく突出する（図７参照）。
【００６０】
以上により、係止部５０が第２被係止部３６に係止される。より具体的には、係止部５０の係止面５２が第２被係止部３６の被係止面３７に当接するため、第１プロテクタ部材２０及び第２プロテクタ部材４０は離間方向の相対移動を規制される。
【００６１】
そして、係止部５０が第２被係止部３６に係止した状態より、第１被係止部３２に係止した状態の方が、底部２３と天井部４３との間隔が大きく、プロテクタ１０の収容容量は大きくなる。すなわち、上記プロテクタ１０によると、２段階の収容容量に調節することができる。また、プロテクタ１０内に収容されたワイヤーへーネスＷＨに対応した位置の被係止部３０に係止部５０が係止されることにより、第２プロテクタ部材４０及び第１プロテクタ部材２０は近接方向にも位置規制され、被係止部３０及び係止部５０の係止状態が維持される。
【００６２】
上記説明では、被係止部３０が２つ形成されている例を挙げたが、被係止部３０は３つ以上形成されていてもよい。また、複数の被係止部３０は、壁部２５及び補助壁部２６の両方に形成されている場合に限定されず、壁部２５及び補助壁部２６の少なくとも一方に形成されていればよい。もっとも、好ましくは、複数の被係止部３０は、壁部２５及び補助壁部２６の両方に交互に形成されているとよい（図３、図６、図７参照）。
【００６３】
また、被係止部３０及び係止部５０の組合せは、上記のものに限定されるものではない。例えば、第１被係止部２３２及び第２被係止部２３６（被係止部２３０）が、壁部２５及び補助壁部２６の対向する側から突出し、挿入方向Ｐ後方から前方に向けて漸次突出寸法が大きくなる凸状に形成されると共に、係止部２５０が、挿入部２４６の両側面で開口する凹状に形成されていてもよい（図１０参照）。他にも、被係止部及び係止部の両方が凸状に形成されていてもよい（図１０の被係止部と図５又は図９の係止部とが設けられた構成）。
【００６４】
また、図１では、第１プロテクタ部材２０及び第２プロテクタ部材４０の合体状態を維持するための構成が、プロテクタ１０の片側一箇所に設けられている例を示しているが、言うまでもなく片側複数箇所に設けられていてもよい。
【００６５】
また、第１プロテクタ部材２０に複数の被係止部３０が設けられ、第２プロテクタ部材４０に係止部５０が設けられる例について説明したが、第１プロテクタ部材２０に係止部５０が、第２プロテクタ部材４０に複数の被係止部３０が設けられる構成であってもよい。
【００６６】
また、第１プロテクタ部材２０及び第２プロテクタ部材４０が分離された構成について説明したが、双方が蝶番等により一方側で連結されていてもよい。この場合、連結されている側の反対側に、第１プロテクタ部材２０及び第２プロテクタ部材４０の合体状態を維持するための構成が設けられていればよい。
【００６７】
さらに、プロテクタ１０は、ワイヤーハーネスＷＨの保護対象部分が分岐を有する場合でも適用可能である。この場合は、プロテクタはワイヤーハーネスＷＨの主幹部を収容する部分から枝部を収容する部分が分岐するように構成され、第１プロテクタ部材及び第２プロテクタ部材の合体状態を維持するように、各部分に係止部５０及び複数の被係止部３０の組合せが設けられていればよい。
【００６８】
上記構成に係るプロテクタ１０によると、車両のマイナーチェンジ、モデルチェンジ等によりワイヤーハーネスＷＨの外径が変更された場合でも、収容容量を調節して適用することができる。これにより、新たなプロテクタを設計、製造する手間を省くことができ、これに掛かる人件費及び設備費等も削減することができる。
【００６９】
また、第１プロテクタ部材２０の壁部２５及び補助壁部２６に第１被係止部３２及び第２被係止部３６が挿入方向Ｐに沿って形成され、挿入部４６の挿入方向Ｐ所定の位置に係止部５０が形成されている。そして、係止部５０は、係止面５２が被係止面３３又は被係止面３７に当接した位置で第１被係止部３２又は第２被係止部３６に係止する。このため、被係止面３３及び被係止面３７より前方側に突出する係止部５０及び挿入部４６の寸法は、係止部５０が第１被係止部３２及び第２被係止部３６のいずれに係止した場合でも変わらない。また、第１被係止部３２及び第２被係止部３６のいずれに係止している場合でも壁部２５或いは補助壁部２６の側方に位置し、その両方を越えて大きく突出することはない。すなわち、ワイヤーハーネスＷＨの外径が小さい場合にも、係止部５０が大きく突出するのを防止することができる。
【００７０】
また、被係止部３０が壁部２５及び補助壁部２６に挿入方向Ｐに沿って交互に形成されているため、係止部５０はより小さい間隔で異なる被係止部３０に係止することができる。これにより、小さい単位で収容容量を調節することができ、ワイヤーハーネスＷＨの外径の変更に対してより柔軟に対応することができる。
【００７１】
また、複数の被係止部３０が凹状に形成され、係止部５０が両側凸状に形成されており、構造を簡易にすることができる。
【００７２】
また、係止部５０は、挿入方向Ｐ前方から後方に向けて漸次厚さ寸法が大きくなるように形成されているため、壁部２５と補助壁部２６との間に挿入しやすくなっている。また、係止部５０は後端側部分が主として厚さ方向に揺動可能なように前端部で支持され、壁部２５及び補助壁部２６は係止部５０の後端部の厚さ寸法より小さい隙間をあけて位置するように構成されている。これにより、係止部５０が凹状の被係止部３０に係止する際、後端部は壁部２５或いは補助壁部２６のうち当該被係止部３０に対向する部分に押されて被係止部３０側に揺動し、より大きく被係止部３０内に進出する。このため、係止部５０がより確実に被係止部３０に対して係止し、第１プロテクタ部材２０及び第２プロテクタ部材４０の合体状態をより確実に維持することができる。
【００７３】
さらに、係止部５０の後端側部分を揺動可能に構成しているため、そうでない場合と比較して、厚さ寸法を小さくすることができる。すなわち、係止部５０の厚さ寸法を小さくした場合でも、係止部５０の揺動により片側から突出する寸法を大きく確保することができる。
【符号の説明】
【００７４】
１０  プロテクタ
２０  第１プロテクタ部材
２５  壁部
２６  補助壁部
３０、２３０  被係止部
４０  第２プロテクタ部材
４６、１４６、２４６  挿入部
５０、１５０、２５０  係止部
Ｐ  挿入方向
ＷＨ  ワイヤーハーネス
【図１】
2011234474.tif 000003
【図２】
2011234474.tif 000004
【図３】
2011234474.tif 000005
【図４】
2011234474.tif 000006
【図５】
2011234474.tif 000007
【図６】
2011234474.tif 000008
【図７】
2011234474.tif 000009
【図８】
2011234474.tif 000010
【図９】
2011234474.tif 000011
【図１０】
2011234474.tif 000012